(57)【要約】      （修正有）【課題】洗濯物の襟、袖、シミなどに簡単に前処理出来て、直ぐに洗濯できる洗濯機を提供する。【解決手段】洗濯槽２の底に設けられる攪拌翼と、洗濯槽２と攪拌翼を回転駆動させる駆動装置と、洗濯槽２に給水する給水手段と、を備える洗濯機において、液体洗剤箱２６、洗濯板２８を設ける。洗剤箱２６は、上面カバーの蓋体９ｂを開けると洗濯物投入口９ａで洗濯槽２の上面に設けられているので、洗濯物１２の襟、袖、シミなど等の汚れを、洗濯前に、洗剤箱２６内の液体洗剤によって前処理することが可能である。その際、襟、袖、シミに液体洗剤箱２６内の液体洗剤をを塗り付けた後、洗濯槽２に設けた横向き洗濯板２８に擦り付けて、ある程度、汚れを落としてから、洗濯槽２に入れて、洗濯すると、更に汚れ落ちの効果が発揮される。【選択図】図５
2018149218.tif 000002
【特許請求の範囲】
【請求項１】
洗濯槽と、
前記洗濯槽の底に設けられる攪拌翼と、
前記洗濯槽と前記攪拌翼を回転駆動させる駆動装置と、
前記洗濯槽に給水する給水手段と、を備える洗濯機において、
液体洗剤箱を設けたことを特徴とする洗濯機。
【請求項２】
請求項１に記載の洗濯機であって、
前記洗濯槽に横向きの洗濯板を設けたことを特徴とする洗濯機。
【請求項３】
請求項１に記載の洗濯機であって、
前記洗濯槽に縦向きの洗濯板を設けたことを特徴とする洗濯機。
【請求項４】
請求項１に記載の洗濯機であって、
前記洗濯槽に斜め向きの洗濯板を設けたことを特徴とする洗濯機。
【請求項５】
請求項１に記載の洗濯機であって、
前記洗濯槽に洗濯板を一部、又は全周に設けたことを特徴とする洗濯機。
【請求項６】
請求項１に記載の洗濯機であって、
液体洗剤箱の液体洗剤を封しする構造を玉形状としたことを特徴とする洗濯機。
【請求項７】
請求項１に記載の洗濯機であって、
液体洗剤箱の液体洗剤を封しする構造をＴ字形状としたことを特徴とする洗濯機。
【発明の詳細な説明】
【技術分野】
【０００１】
本発明は、洗濯機に関する。
【背景技術】
【０００２】
特許文献１には、「超音波洗浄装置や洗濯物を受けるトレイを配置する洗濯機を設け、超音波洗浄装置で汚れの一部を洗浄する洗濯機を目的としている」と記載されている。
【先行技術文献】
【特許文献】
【０００３】
【特許文献１】特開2004-121712公報
【特許文献２】特許第3471240号公報
【特許文献３】特許第3739293号公報
【特許文献４】特許第3888869号公報
【発明の概要】
【発明が解決しようとする課題】
【０００４】
従来の洗濯機では、襟、袖、シミ汚れは、なかなか落とすことが出来なく、前処理として、汚れのところに液体洗剤の原液、又は粉末洗剤を溶かしてから、汚れに付けてから洗濯機で洗濯する。または洗面器、風呂場などで襟、袖、シミ汚れのところに洗剤を付けて手洗いした後に洗濯機で洗濯したり、衣類をつけおきしてから洗濯機で洗濯するのが襟、袖、シミ汚れの一般的な前処理であり不便で手間が掛る。近年の濯機は、その襟、袖、シミ汚れを落とすコースが設けられている。しかし、通常の標準コースと比べると、時間は洗剤液に浸す時間を長くするために約５倍、消費電力量は水温を上げるためにヒータを使うので約２５倍、洗剤量は高濃度にするために約２倍、水量は高濃度液をすすぐために約１．５倍と大幅に増えるために、洗濯機にそのコースが付いていても、ランニングコストや長時間かかり不便なために使用頻度が少ないのが現状である。更に洗濯機に超音波洗浄機を設けた洗濯機が発売されたが、構造的に複雑でコストが掛り使い勝手も悪いのが現状である。
【０００５】
そこで、本発明では、前記した従来の課題を解決するものであり、襟、袖、シミ汚れの前処理を簡単に提供する洗濯機を目的とする。
【課題を解決するための手段】
【０００６】
本発明は、その一例として、洗濯槽と、前記洗濯槽の底に設けられる攪拌翼と、前記洗濯槽と前記攪拌翼を回転駆動させる駆動装置と、前記洗濯槽に給水する給水手段と、を備える洗濯機において、前記洗濯槽の上で、襟、袖、シミ汚れの前処理が出来るように前期上面カバーの洗濯物投入口を開閉するための蓋体を開けると、上面カバーの内側に前処理用の液体洗剤箱があり、その下に襟、袖、シミ汚れの部分を付けると液体洗剤の原液が出てきて塗りつけられる構造となっている。更に汚れが酷い場合は、前記洗濯槽に洗濯板が設けられ、擦ることで汚れが低減され、終わったらそのまま洗濯槽内に入れて洗濯運転を行えることを特徴とする。
【発明の効果】
【０００７】
本発明によれば、洗濯物の襟、袖、シミ汚れの前処理、更に汚れ部分の洗濯板による擦りを簡単に出来て、そのまま洗濯できる洗濯機を提供出来る。
【図面の簡単な説明】
【０００８】
【図１】本実施形態の洗濯機の内部構成を示す概略図である。
【図２】本実施形態の洗濯機の蓋を開け前から見た概略図である。
【図３】洗濯物に前処理している斜視図である。
【図４】洗濯槽に横向き洗濯板を一部設けた斜視図である。
【図５】洗濯物を横向き洗濯板に擦り付けている斜視図である。
【図６】洗濯物を縦向き洗濯板に擦り付けている斜視図である。
【図７】洗濯物を斜め向き洗濯板に擦り付けている斜視図である。
【図８】洗濯槽に横向き洗濯板を全周設けた斜視図である。
【図９】（ａ）は前処理する液体洗剤箱の玉形状封し断面図の一例、（ｂ）洗濯物に前処理している状態の断面図の一例である。
【図１０】（ａ）は前処理する液体洗剤箱のＴ字形状封し断面図の一例、（ｂ）洗濯物に前処理している状態の断面図の一例である。
【発明を実施するための形態】
【０００９】
以下、本発明を実施するための形態（以下「実施形態」という）について、適宜図面を参照しながら詳細に説明する。なお、以下では、洗濯、すすぎ、脱水を行うことができる洗濯機（いわゆる、全自動洗濯機）を例に挙げて説明するが、洗濯、すすぎ、脱水、乾燥を行うことができる洗濯機（いわゆる、縦型の洗濯乾燥機）に適用することもできる。
【００１０】
図１は、本実施形態の洗濯機の内部構成を示す概略図である。
【００１１】
図１に示すように、洗濯機１は、略箱形の鋼板製の外枠（筺体）５内に、洗濯槽２と、洗濯槽２の底に設けられる攪拌翼３と、洗濯水を循環させる循環水路Ｒとを備えて構成されている。洗濯槽２は、有底円筒形状を呈し、胴板２１、この胴板２１の底部に設けられる底板２２、胴板２１の上部に設けられるバランスリング２３などを備えて構成されている。また、洗濯水を遠心力にて洗濯物１２と分離し排出するため胴板２１には複数の脱水孔２１ａが形成されている。
【００１２】
攪拌翼３（脈動翼盤、パルセータともいう）は、略円盤状に形成され、洗濯槽２の底部に設けられている。また、攪拌翼３は、駆動装置６によって回転可能に支持されている。これにより、洗い時やすすぎ時に、攪拌翼３を回転させることで洗濯水を洗濯物１２ごと攪拌することができる。
【００１３】
循環水路Ｒを構成する循環流路部材２０は合成樹脂などの略板状の部材で形成されるとともに、所定の幅で上下方向に延びて構成されて洗濯槽２の壁面に設けられ、攪拌翼３の回転によって、隙間２４から洗濯水がバランスリング２３に衝突することで洗濯水（水）を、洗濯槽２の底部から洗濯槽２の上部に押し上げて、洗濯槽２の内部に戻して循環するように構成されている。また、循環水路Ｒは、洗濯槽２の壁面の複数箇所に設けられている。また、洗濯機１は、外枠５の枠体内に、洗濯槽２を同軸上に内包する外槽７を備えている。この外槽７は、合成樹脂製で有底円筒状に形成され、外枠５の上端から吊り下げ支持するコイルバネや弾性ゴムからなる防振装置８などによって垂下防振支持されている。また、外槽７の底部外側には、排水弁１３および排水ホース１１が設けられ、外槽７の底部に設けられた排水口２５と排水弁１３を介して排水ホース１１と接続されている。
【００１４】
また、洗濯機１は、コントローパネル４を押して選ぶことで、運転コースが選べる。選んだ後の制御手段であるコントロールユニット１９、給水手段である電磁給水弁１６、水位を検知する感圧式の水位センサ１５などを備えている。洗濯工程等を行う際、コントロールユニット１９の指令により、電磁給水弁１６を開き、外槽７内に洗濯水が給水される。所定の水位となったことが水位センサ１５により検知されると、コントロールユニット１９の指令により電磁給水弁１６を閉め、給水を停止する。また、脱水工程等を行う際、コントロールユニット１９の指令により排水弁１３が開かれ、外槽７内の洗濯水は、排水ホース１１の他端から洗濯機１の機外へ排出される。
【００１５】
外枠５の上部には、合成樹脂製の上面カバー９が設けられ、外枠５の下部には、合成樹脂製のベース部材１０が設けられている。また、上面カバー９の中央部には、洗濯物１２等を出し入れする洗濯物投入口９ａを有し、この洗濯物投入口９ａを開閉するための蓋体９ｂが設けられている。また、上面カバー９の後部には、水道栓と接続される給水ホース接続口１７が設けられている。給水ホース接続口１７は、電磁給水弁１６と接続されている。
【００１６】
また、外槽７の内周と洗濯槽２外周との間には隙間があり、この隙間に洗濯物等が入らなくするとともに、外槽７全体の剛性を保つために、外槽７の上端にはバランスリング２３の上面を覆うような槽カバー１８が設けられている。
【００１７】
駆動装置６は、外槽７の底部外側に鋼板製の取付けベース１４を介して取り付けられている。また、駆動装置６は、駆動用モータおよび減速機構を介して攪拌翼３を駆動するように構成されている。この駆動装置６は、洗濯槽２を静止若しくは回転を固定させた状態で攪拌翼３を正逆両方向に回転させる攪拌モード、洗濯槽２と攪拌翼３を一体的に同一方向に回転させる脱水モードを選択的に駆動できるように構成されている。
【００１８】
また、駆動装置６は、洗濯槽２を静止させない状態（洗濯槽２の回転を固定しないが、駆動装置６洗濯槽２を回転ない状態）で攪拌翼３を正逆両方向に回転させる中立モードも選択的に駆動できるように構成されている。
【００１９】
更に本実施形態に係る液体洗剤箱２６は、上面カバー９の蓋体９ｂを開けると洗濯物投入口９ａで洗濯槽２の上面に設けられている。
【００２０】
図２は、本実施形態に係る洗濯槽２（図１参照、一部のみ図示）の上部構成を示す図である。
【００２１】
図２に示すように、洗濯機を正面からの斜視図で、手前にはコントローパネル４があり、上面カバー９の蓋体９ｂが開けられ、洗濯物投入口９ａと上面カバー内面９ｃは、洗濯槽２のバランスリング２３の上面を覆うような槽カバー１８の概ねな大きさの形状で開口され、洗濯物１２（図１参照、一部のみ図示）が入れられる状態となっている。上面カバー内面９ｃには、液体洗剤箱２６が設けられ、洗濯物１２（図１参照、一部のみ図示）の襟、袖、シミなどの前処理できる構造となっている。
【００２２】
図３は、洗濯物１２に前処理している斜視図である。本例は、襟汚れに液体洗剤箱２６を押し付け中の液体洗剤２７ａを塗り付けている状態を表したものである。図３には記載されていないが、その他に袖やシミなどに液体洗剤２７ａを塗り付けることもできる。その後、洗濯機1で洗濯槽２（図１参照、一部のみ図示）に入れて洗濯し汚れが落ちにくい、襟、袖、シミなどを落せる。
【００２３】
更に図４は、汚れが酷い襟、袖、シミに液体洗剤箱２６を押し付け液体洗剤２７ａを塗り付けただけでは落ちにくい場合は、洗濯槽２に設けた横向き洗濯板２８にて、図５に示す通り、その後、洗濯物１２を洗濯槽２に設けた横向き洗濯板２８にて、擦り付けて、ある程度、汚れを落としてから、洗濯槽２に入れて、洗濯すると、更に汚れ落ちの効果が発揮される。
【００２４】
更に洗濯板については、図６に示すように、洗濯槽２に設けた縦向き洗濯板２９、図７に示すように、洗濯槽２に設けた斜め向き洗濯板３０も考えられる。
【００２５】
上記、図４〜図７の説明は、洗濯槽２に洗濯板が一部に設けた斜視図となっているが、図８に示すように、洗濯槽２の全周に洗濯板３１を設けることにより、どこの位置でも洗濯物１２が擦れる便利な効果がある。図８は横側の全周の洗濯板３１だが、図６〜図７の様に縦側や斜め側の全周の洗濯板も設けることもできる。
【００２６】
図９、１０は、液体洗剤箱２６の構造について説明する。図９は、液体洗剤箱２６の断面構造の一例を示した図である。（ａ）は液体洗剤２７が液体洗剤容器２６ｂに入っており、液体洗剤２７の投入口にはキャップ２６ａが設けてある。液体洗剤２７は、玉形状封し２６ｃにより下に垂れない構造となっている。（ｂ）は、洗濯物１２を玉形状封し２６ｃに当てることにより、液体洗剤２７が玉形状封し２６ｃと液体洗剤容器２６ｂの隙間から流れ、洗濯物１２の上に垂れた液体洗剤２７ａが前処理される。洗濯物１２があたっている玉形状封し２６ｃと液体洗剤容器２６ｂから離すことにより、液体洗剤２７は、（ａ）の状態に戻るようになっている。
【００２７】
更に一例として図１０は、液体洗剤箱２６の断面構造の一例を示した図である。（ａ）は、液体洗剤２７が液体洗剤容器２６ｄに入っており、液体洗剤２７の投入口にはキャップ２６ａが設けてある。液体洗剤２７は、Ｔ字形状封し２６ｅにより、下に垂れない構造となっている。（ｂ）は、洗濯物１２をＴ字形状封し２６ｅに当てることにより、液体洗剤２７がＴ字形状封し２６ｅと液体洗剤容器２６ｄの隙間から流れ、洗濯物１２の上に垂れた液体洗剤２７ａが前処理される。洗濯物１２をＴ字形状封し２６ｅと液体洗剤容器２６ｄから離すことにより、液体洗剤２７は、（ａ）の状態に戻るようになっている。
【００２８】
上述の本発明により、襟、袖、シミに前処理する機構を洗濯機に搭載することで、
手間を掛けずに簡単に出来て、そのまま洗濯機に入れられ、洗濯出来る。また、襟、袖、シミの汚れが酷い場合、洗濯機に洗濯板を設けることで、擦った後にそのまま、洗濯機に入れられ、洗濯出来て、同じように手間を掛けずに簡単に行える。
【符号の説明】
【００２９】
１      洗濯機
２      洗濯槽
１２    洗濯物
２６    液体洗剤箱
２６ａ  キャップ
２６ｂ  液体洗剤容器
２６ｃ  玉形状封し
２６ｄ  液体洗剤容器
２６ｅ  Ｔ字形状封し
２８    横向き洗濯板
２９    縦向き洗濯板
３０    斜め向き洗濯板
３１    全周の洗濯板
【図１】
2018149218.tif 000003
【図２】
2018149218.tif 000004
【図３】
2018149218.tif 000005
【図４】
2018149218.tif 000006
【図５】
2018149218.tif 000007
【図６】
2018149218.tif 000008
【図７】
2018149218.tif 000009
【図８】
2018149218.tif 000010
【図９】
2018149218.tif 000011
【図１０】
2018149218.tif 000012